(57)【特許請求の範囲】
【請求項１】
少なくともＣ．Ｉ．ピグメントヴァイオレット３２およびＣ．Ｉ．ピグメントヴァイオレット１９を顔料として含み、
前記Ｃ．Ｉ．ピグメントヴァイオレット３２と前記Ｃ．Ｉ．ピグメントヴァイオレット１９との混合比が１：２〜２：１であり、かつ、
１００００倍以下の希釈水溶液において、可視吸収スペクトルから算出されるＣＩＥ規格のａ＊値が８０のときに、ｂ＊値が−３８以上−２９以下であるマゼンタインク組成物。
【請求項２】
さらに、前記ＣＩＥ規格のＬ＊値が６０以下である、請求項１に記載のマゼンタインク組成物。
【請求項３】
顔料濃度が２×１０-3ｇ／ｌである希釈水溶液において、可視吸収スペクトルから算出されるＣＩＥ規格のａ＊値が５以上である請求項１又は２に記載のマゼンタインク組成物。
【請求項４】
前記Ｃ．Ｉ．ピグメントヴァイオレット３２と前記Ｃ．Ｉ．ピグメントヴァイオレット１９との合計濃度が４重量％以下である、請求項１から３のいずれか１項に記載のマゼンタインク組成物。
【請求項５】
請求項１から４のいずれか１項に記載のマゼンタインク組成物を含むインクカートリッジ。
【請求項６】
請求項１から４のいずれか１項に記載のマゼンタインク組成物を用いて画像を形成する記録方法。
【請求項７】
請求項１から４のいずれか１項に記載のマゼンタインク組成物を用いて画像が形成されてなる記録物。
【請求項８】
請求項１から４のいずれか１項に記載のマゼンタインク組成物を含む、インクセット。
【請求項９】
さらに、イエローインクおよびシアンインクを備える、請求項８に記載のインクセット。
【請求項１０】
前記イエローインクの顔料濃度が５．５％以下であり、前記シアンインクの顔料濃度が４％以下である、請求項９に記載のインクセット。
【請求項１１】
前記イエローインクがＣ．Ｉ．ピグメントイエロー７４を、前記シアンインクがＣ．Ｉ．ピグメントブルー１５：３を、それぞれ顔料として含む、請求項９または１０に記載のインクセット。
【請求項１２】
さらに、ブラックインクを備える、請求項８から１１のいずれか１項に記載のインクセット。
【請求項１３】
請求項８から１２のいずれか１項に記載のインクセットを含むインクカートリッジ。
【請求項１４】
請求項８から１２のいずれか１項に記載のインクセットを用いて画像を形成する記録方法。
【請求項１５】
請求項８から１２のいずれか１項に記載のインクセットを用いて画像が形成されてなる記録物。
【発明の詳細な説明】
【技術分野】
【０００１】  本発明は、新規なマゼンタインク組成物に関する。特に、高彩度かつ低明度なレッド領域の色再現性に優れ、光沢が向上され、インクジェット式吐出ヘッドで目詰まりを生じにくいマゼンタインク組成物、及び特定のマゼンタインクを少なくとも備える、記録画像の光沢に優れたインクセット、並びに、高彩度かつ低明度なレッド領域の色再現性に優れ、且つ粒状性にも優れ、光沢が向上され、インクジェット式吐出ヘッドで目詰まりを生じにくいマゼンタインク組成物及びこれを含むインクセットに関する。
【背景技術】
【０００２】  従来、カラーインクジェット記録用のマゼンタインクとしては、Ｃ．Ｉ．ピグメントレッド２０２や、Ｃ．Ｉ．ピグメントレッド１２２などの顔料を色材として用いたインクが提案されている（例えば、特許文献１を参照）。【０００３】  Ｃ．Ｉ．ピグメントレッド２０２およびＣ．Ｉ．ピグメントレッド１２２を用いる場合、インク中の顔料濃度を比較的高くしなければ、高彩度かつ低明度な領域の色再現性が十分に得られない。しかし、顔料濃度を高くするとインクの粘度が高くなり、メニスカスの応答性が鈍くなる傾向があるので、印字スピード、画質、ヘッド寿命などが問題となりやすい。また、顔料濃度を高くすると、光沢系メディアにおいて、平滑なインク膜が形成されにくい傾向があり、記録物の光沢が劣化することがある。【０００４】  インクの粘度が高くなるのを防止するためには、インクに添加するグリセリン量を低くする方法がある。【０００５】  しかしながら、グリセリンはインクジェット式吐出装置における目詰まりを防止する湿潤剤として機能するため、その含有量を減らすと目詰まりが生じやすいインクとなる傾向がある。
また、従来のマゼンタインクでは、その記録物のＬ＊４０以下の暗部の色再現には優れるが、粒状性が不十分であった。
【特許文献１】特開２００３−２６８２７５号公報
【発明の開示】
【発明が解決しようとする課題】
【０００６】  そこで、本発明は、高彩度かつ低明度な領域の色再現性に優れ、インクジェット式記録ヘッドでの目詰まりを起こしにくく、光沢も向上されたマゼンタインクを提供することを目的の一つとする。【０００７】  また、本発明は、高彩度かつ低明度な領域の色再現性に優れ、インクジェット式記録ヘッドでの目詰まりをおこしにくく、光沢も向上されたマゼンタインク備える、インクジェット記録用インクセットを提供することを他の目的とする。【０００８】  また、本発明は、高彩度かつ低明度な領域の色再現性に優れ、且つ粒状性にも優れ、インクジェット式記録ヘッドでの目詰まりを起こしにくく、光沢も向上されたマゼンタインク、及び該マゼンタインクを含むインクセットを提供することを更に他の目的とする。
【課題を解決するための手段】
【００１７】  また、本発明者らは、鋭意研究を重ねた結果、色材として、顔料Ｃ．Ｉ．ピグメントヴァイオレット３２およびＣ．Ｉ．ピグメントヴァイオレット１９を含むマゼンタインクは顔料濃度が比較的低くても高彩度かつ低明度な領域での色再現性に優れることの知見を得た。【００１８】
本発明は、上記知見に基づいてなされたものであり、少なくともＣ．Ｉ．ピグメントヴァイオレット３２およびＣ．Ｉ．ピグメントヴァイオレット１９を顔料として含み、当該Ｃ．Ｉ．ピグメントヴァイオレット３２と当該Ｃ．Ｉ．ピグメントヴァイオレット１９との混合比が１：２〜２：１であり、かつ、１００００倍以下の希釈水溶液において、可視吸収スペクトルから算出されるＣＩＥ規格のａ＊値が８０のときに、ｂ＊値が−３８以上−２９以下であるマゼンタインク組成物を提供するものである。該マゼンタインク組成物は、前記ＣＩＥ規格のＬ＊値が６０以下であると、さらに好ましい。
【００１９】  また、本発明は、上記条件に加え、さらに顔料濃度が２×１０−３ｇ／ｌである水溶液において、可視吸収スペクトルから算出されるＣＩＥ規格のａ＊値が５以上、好ましくは７以上である前記マゼンタインク組成物をも好ましく提供するものである。【００２０】  上記マゼンタインク組成物は、いずれも色材濃度が比較的低くても、高彩度かつ低明度の領域での色再現性に優れているので、色材濃度を高めることによってインクの粘度が高くなってしまうことを防ぐことができる。また、記録物の粒状性にも優れる。粒状性とは、画像を形成した際のドット表現による粒状の目立ちを抑制できる特性をいう。【００２１】  また、本発明に係るマゼンタインク組成物は、このような構成により、粘度の高い高沸点有機溶剤などの湿潤剤を十分に添加することが可能となるので、インクジェット法を用いて印刷しても、ヘッドでの目詰まりを起こしにくい。【００２２】  また、本発明は、上記マゼンタインク組成物を用いて画像を形成する記録方法を提供するものである。【００２３】この記録方法によれば、高彩度かつ低明度のレッド領域の色再現性に優れ、且つ粒状性にも優れ、光沢も向上された良質な記録画像を得ることができる。【００２５】  さらに、本発明は、上記マゼンタインク組成物を用いて画像が形成されてなる記録物を提供するものである。この記録物は、高彩度かつ低明度のレッド領域の色再現性に優れ、且つ粒状性にも優れ、光沢も向上された良質なものである。【００３４】  また、本発明者らは、鋭意研究を重ねた結果、色材として、顔料Ｃ．Ｉ．ピグメントヴァイオレット３２およびＣ．Ｉ．ピグメントヴァイオレット１９を含むマゼンタインクは顔料濃度が比較的低くても高彩度かつ低明度な領域での色再現性に優れていることを見出した。【００３５】
本発明は、上記知見に基づいてなされたものであり、少なくともＣ．Ｉ．ピグメントヴァイオレット３２およびＣ．Ｉ．ピグメントヴァイオレット１９を顔料として含み、当該Ｃ．Ｉ．ピグメントヴァイオレット３２と当該Ｃ．Ｉ．ピグメントヴァイオレット１９との混合比が１：２〜２：１であり、かつ、１００００倍以下の希釈水溶液において、可視吸収スペクトルから算出されるＣＩＥ規格のａ＊値が８０のときに、ｂ＊値が−３８以上−２９以下であるマゼンタインクを含むインクセットを提供するものである。このマゼンタインクは、Ｌ＊値が６０以下であると、さらに好ましい。
【００３６】  また、本発明は、上記条件に加え、さらに顔料濃度が２×１０−３ｇ／ｌである水溶液において、可視吸収スペクトルから算出されるＣＩＥ規格のａ＊値が５以上、好ましくは７以上である前記マゼンタインクを含むインクセットをも好ましく提供するものである。【００３７】  上記インクセットは、いずれも、色材が比較的低濃度であっても高彩度かつ低明度なレッド領域での色再現性が良好であり、顔料等の色材を高濃度にする必要がないので、インクの粘性が高くなることがなく、インクジェット法に用いるためにも好ましい。また、記録物の粒状性にも優れる。【００３８】  本発明に係るインクセットは、このような構成により、マゼンタインクに湿潤剤を十分に添加することが可能となるので、インクジェット式吐出装置を用いる場合も、ヘッドでの目詰まりを抑制することができる。【００３９】  また、本発明は、本発明に係るインクセットを用いて画像を形成する記録方法を提供するものである。この記録方法によれば、高彩度かつ低明度のレッド領域の色再現性に優れ、且つ粒状性にも優れ、光沢も向上された良質な記録画像を得ることができる。【００４１】  さらに、本発明は、前記インクセットを用いて画像が形成されてなる記録物を提供するものである。この記録物は、高彩度かつ低明度のレッド領域の色再現性に優れ、且つ粒状性にも優れ、光沢も向上された良質なものである。
【発明の効果】
【００４２】  本発明によれば、高彩度かつ低明度な領域の色再現性に優れ、インクジェット式記録ヘッドでの目詰まりを起こしにくく、光沢も向上されたマゼンタインクが提供される。また、本発明によれば、高彩度かつ低明度な領域の色再現性に優れ、且つ粒状性にも優れ、インクジェット式記録ヘッドでの目詰まりを起こしにくく、光沢も向上されたマゼンタインクが提供される。また、本発明によれば、高彩度かつ低明度な領域の色再現性に優れ、インクジェット式記録ヘッドでの目詰まりをおこしにくく、光沢も向上されたマゼンタインクを備える、インクジェット記録用インクセットが提供される。また、本発明によれば、高彩度かつ低明度な領域の色再現性に優れ、且つ粒状性にも優れ、インクジェット式記録ヘッドでの目詰まりを起こしにくく、光沢も向上されたマゼンタインクを備えるインクジェット記録用インクセットが提供される。更に、本発明によれば、かかるマゼンタインクまたはインクセットを用いたインクカートリッジ、記録方法、記録システム及び記録物が提供される。
【図面の簡単な説明】
【００４３】［図１］顔料種の異なるマゼンタインクのＬ＊値とａ＊値の関係を示すグラフである。
［図２］顔料種の異なるマゼンタインクのＬ＊値とａ＊値の関係を示すグラフである。
［図３］顔料種の異なるマゼンタインクのＬ＊値とａ＊値の関係を示すグラフである。
［図４］顔料種の異なるマゼンタインクのＬ＊値とａ＊値の関係を示すグラフである。
［図５］顔料種の異なるマゼンタインクのｂ＊値とａ＊値の関係を示すグラフである。
［図６］顔料種の異なるマゼンタインクのＬ＊値とａ＊値の関係を示すグラフである。
［図７］図６に示すグラフの一部拡大図（低彩度領域）である。
［図８］図６に示すグラフの一部拡大図（高彩度領域）である。
［図９］実施例および比較例のインクセットの色再現性を示す。
［図１０］実施例および比較例のインクセットの色再現性を示す。
［図１１］実施例および比較例のインクセットの色再現性を示す。
［図１２］実施例および比較例のインクセットの色再現性を示す。
［図１３］実施例及び比較例それぞれに用いるマゼンタインクの色相角と彩度との関係を示すグラフである。
［図１４］実施例及び比較例それぞれに用いるマゼンタインクの色相角と明度との関係を示すグラフである。
【発明を実施するための最良の形態】
【００４４】〔第１実施形態のマゼンタインク組成物〕
以下に本発明に係るマゼンタインク組成物（第１実施形態）について、その好ましい実施態様に基づき説明する。【００４５】  本発明に係るマゼンタインク組成物は、上述の通り、１００００倍以下の希釈水溶液において、可視吸収スペクトルから算出されるＣＩＥ規格のａ＊値が８０のときに、ｂ＊値が−２９以下、好ましくはｂ＊値が−３５以下である。このようなマゼンタインクは、紫領域の色再現性に優れ、輝度系発色であるｓＲＧＢ色空間も記録媒体上に広く色再現可能であり、Ｄｅｓｋｔｏｐ  Ｐｕｂｌｉｓｈｉｎｇ（ＤＴＰ）にも好適である。一方、ｂ＊値が−４０以下になると赤色の発色性が劣化するので、ｂ＊値は−４０以上であることが好ましい。【００４６】  また、本発明に係るマゼンタインク組成物は、上記ｂ＊値の条件に加え、Ｌ＊値が６０以下であることがさらに好ましい。かかる構成により、高彩度かつ低明度な領域の色再現が可能となる。【００４７】  ここで、可視吸収スペクトルから算出されるＣＩＥ規格のＬ＊値、ａ＊値、およびｂ＊値は、例えば日立製作所社製のＵ３３００等を用いて、スキャンスピードで６００ｎｍ／ｍｉｎ、測定波長範囲３８０〜８００ｎｍ、スリット幅２．０ｎｍの条件で透過率測定し、Ｄ６５光源、視野角２度において算出することにより得ることができる（以下、その他のインクでも同様）。【００４８】  また、本発明に係るマゼンタインク組成物は、顔料濃度が２×１０−３ｇ／ｌである希釈水溶液において、可視吸収スペクトルから算出されるＣＩＥ規格のａ＊値が７以上であることが好ましい。特に、高彩度な領域の色再現性の点で、ａ＊値は８以上であることが更に好ましく、９以上であることがさらに一層好ましい。本発明に係るマゼンタインク組成物は、２×１０−３ｇ／ｌの場合にａ＊値が７以上となるが、その他の濃度においてａ＊値が７以上であってもよい。ａ＊値は上述の測定方法と同様の方法に従って得ることができる。【００４９】  本発明に係るマゼンタインク組成物は、Ｃ．Ｉ．ピグメントヴァイオレット３２（以下「ＰＶ３２」と省略することもある）を顔料として含むことが好ましい。ＰＶ３２は、比較的低濃度でも高彩度かつ低明度の領域について、十分な色再現性を得ることができる。インクの粘度が高くなりすぎないように、ＰＶ３２の濃度は４重量％以下、好ましくは２重量％以下である。【００５０】  なお、本発明に係るマゼンタインクは、１００００倍以下の希釈水溶液において、可視吸収スペクトルから算出されるＣＩＥ規格のａ＊値が８０のときに、ｂ＊値が−２９以下である限り、ＰＶ３２を含有しなくてもよい。例えば、Ｃ．Ｉ．ピグメントレッド（以下「ＰＲ」と省略することもある。）５、７、１２、４８（Ｃａ）、４８（Ｍｎ）、５７（Ｃａ）、５７：１、１１２、１２２、１２３、１６８、１８４、２０２、２０７、２０９、Ｃ．Ｉ．ピグメントヴァイオレット（以下「ＰＶ」と省略することもある。）１９等の１種または２種以上を含有してもよいし、これらとＰＶ３２とを組み合わせてもよい。【００５１】  また、本発明に係るマゼンタインクは、湿潤剤として高沸点有機溶媒を１４〜３０重量％含むことが好ましい。本発明に係るマゼンタインクは、顔料濃度を比較的低くしても目的���色再現性を得ることができるので、粘度が高くならず、高沸点有機溶媒を十分に添加することができる。高沸点有機溶媒を加えることによって、インクジェット記録用に用いた場合に、インクの乾燥を防いでインクジェットプリンタのヘッドでの目詰まりが抑制される。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。【００５２】  特に、本発明に係るマゼンタインク組成物には、目詰まり防止の向上と、記録画像の光沢を向上させるために、グリセリンを１４重量％以上加えることが好ましい。グリセリンとともに、トリエタノールアミン等の有機アルカリを添加してもよい。トリエタノールアミンは、インクのｐＨ調整剤および分散安定剤としての機能をも有するものであり、インク中において０．１〜１０重量％の範囲内で使用することが好ましい。【００５３】  本発明に係るマゼンタインク組成物は、色材として顔料を使用するとともに、該顔料を分散するための分散剤を含有するものが好ましい。分散剤は、この種の顔料インクに使用可能であるものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテ��サルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。【００５４】  前記分散剤は、前記インク組成物中において、前記顔料の重量を基準として、固形分換算で、通常１４０重量％以下で含まれる。【００５５】  前記分散剤は、前記顔料の重量を基準として、固形分換算で好ましくは１０〜１４０重量％、更に好ましくは１０〜１００重量％、更に一層好ましくは１０〜４０重量％含まれる。また、インク量に対する分散剤の含有量は、固形分換算で好ましくは０．１〜１０重量％、更に好ましくは０．３〜３重量％である。【００５６】  また、本発明に係るマゼンタインク組成物は、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル若しくは１，２−ヘキサンジオール、またはこれらの２種以上を用いることが好ましい。【００５７】  前記浸透促進剤は、前記インク中、好ましくは１〜２０重量％、更に好ましくは１〜１０重量％含有される。【００５８】  また、本発明に係るマゼンタインク組成物は、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２、４４０、４６５、４８５（何れも商品名、エア・プロダクツ・アンド・ケミカルズ社製）、オルフィンＳＴＧ、オルフィンＥ１０１０（何れも商品名、日信化学株式会社製）等が挙げられ、これらの１種又は２種以上が用いられる。特に、オルフィンＥ１０１０、サーフィノール４６５を用いることが好ましい。また、該シリコーン系化合物としては、市販品としてＢＹＫ３４７、３４８またはＢＹＫＵＶ３５１０（ビックケミージャパン製）等のポリシロキサン系化合物を用いることができる。該アセチレングリコール系化合物及���／又は該シリコーン系化合物は、前記インク中、好ましくは０．０１〜５重量％、更に好ましくは０．１〜１．０重量％、特に好ましくは０．１〜０．５重量％含有される。【００５９】  また、本発明に係るマゼンタインク組成物は、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。【００６０】  本発明に係るマゼンタインク組成物は、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。【００６１】  本発明に係るマゼンタインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。【００６２】  本発明に係るマゼンタインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。【００６３】  本発明に係るマゼンタインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。【００６４】  本発明に係るマゼンタインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本発明に係るマゼンタインク組成物は、塗工層を有するメディアに適用すれば、画像を形成した際のドット表現による粒状性の目立ちの抑制を顕著に得ることができる。【００６５】  本明細書において、「塗工層を有するメディア」とは、前述したマゼンタインク組成物を用いて画像を形成する面（被記��面）が少なくとも塗工層で被覆されているものの全てを意味する。この塗工層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板８５度光沢度が１００を示すように予め測定装置を調整しておく。【００６６】  塗工層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Ｐｒｅｍｉｕｍ  Ｇｌｏｓｓｙ  Ｐｈｏｔｏ  Ｐａｐｅｒ）」が挙げられる。【００６７】  また、塗工層を有するメディアの別の例としては、８５度光沢度が１０〜７０であるセミグロス調メディアや、８５度光沢度が１０以下であるマット調メディア等が挙げられる。【００６８】〔第２実施形態のマゼンタインク組成物〕
次に本発明に係るマゼンタインク組成物（第２実施形態）について、その好ましい実施態様に基づき説明する。【００６９】  本発明に係るマゼンタインク組成物は、上述の通り、１００００倍以下の希釈水溶液において、可視吸収スペクトルから算出されるＣＩＥ規格のａ＊値が８０のときに、ｂ＊値が−３８以上−２９以下、好ましくはｂ＊値が−３８以上−３３以下である。このようなマゼンタインクは、紫領域の色再現性に優れ、輝度系発色であるｓＲＧＢ色空間も記録媒体上に広く色再現可能であり、Ｄｅｓｋｔｏｐ  Ｐｕｂｌｉｓｈｉｎｇ（ＤＴＰ）にも好適である。一方、ｂ＊値が−３８未満になると赤色の発色性が劣化する。【００７０】  また、本発明に係るマゼンタインク組成物は、上記ｂ＊値の条件に加え、１００００倍以下の希釈水溶液において、可視吸収スペクトルから算出されるＣＩＥ規格のａ＊値が８０のときに、Ｌ＊値が６０以下であることがさらに好ましい。かかる構成により、高彩度かつ高明度な領域の色再現が可能となる。【００７１】  ここで、可視吸収スペクトルから算出されるＣＩＥ規格のＬ＊値、ａ＊値、およびｂ＊値は、例えば日立製作所社製のＵ３３００等を用いて、スキャンスピード６００ｎｍ／ｍｉｎ、測定波長範囲３８０〜８００ｎｍ、スリット幅２．０ｎｍの条件で透過率測定し、Ｄ６５光源、視野角２度において算出することにより得ることができる。【００７２】  また、本発明に係るマゼンタインク組成物は、顔料濃度が２×１０−３ｇ／ｌである希釈水溶液において、可視吸収スペクトルから算出されるＣＩＥ規格のａ＊値が５以上、特に７以上であることが好ましい。特に、高彩度な領域の色再現性の点で、ａ＊値は８以上であることがさらに好ましく、９以上であることがさらに一層好ましい。ａ＊値は上述の測定方法と同様の方法に従って得ることができる。【００７３】  本発明に係るマゼンタインク組成物は、Ｃ．Ｉ．ピグメントヴァイオレット３２（ＰＶ３２）およびＣ．Ｉ．ピグメントヴァイオレット１９を顔料として含むことが好ましい。この場合、本発明のマゼンタインク組成物は、ＰＶ３２及びＰＶ１９が比較的低濃度でも、高彩度かつ低明度の領域について十分な色再現性を得ることができる。インクの粘度が高くなりすぎないように、ＰＶ３２及びＰＶ１９の合計濃度は４重量％以下、特に２重量％以下であることが好ましい。【００７４】  また、高彩度かつ低明度のレッド領域の色再現性に優れ、且つ粒状性にも優れるという点から、Ｃ．Ｉ．ピグメントヴァイオレット３２とＣ．Ｉ．ピグメントヴァイオレット１９との混合比が１：２〜２：１であることが好ましい。【００７５】  なお、本発明に係るマゼンタインクは、前述の通りＰＶ３２及びＰＶ１９の両方を含むことが好ましいが、１００００倍以下の希釈水溶液において、可視吸収スペクトルから算出されるＣＩＥ規格のａ＊値が８０のときに、ｂ＊値が−３８以上−２９以下である限り、その顔料種に特に制限されない。即ち、ＰＶ３２及びＰＶ１９の何れも又は何れか一方を含有しなくてもよく、例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０７、２０９等の１種または２種以上を含有してもよいし、これらとＰＶ３２及び／又はＰＶ１９とを組み合わせてもよい。【００７６】  また、本発明に係るマゼンタインクは、湿潤剤として高沸点有機溶媒を１４〜３０重量％含むことが好ましい。本発明に係るマゼンタインクは、顔料濃度を比較的低くしても目的の色再現性を得ることができるので、粘度が高くならず、高沸点有機溶媒を十分に添加することができる。高沸点有機溶媒を加えることによって、インクジェット記録用に用いた場合に、インクの乾燥を防いでインクジェットプリンタのヘッドでの目詰まりが抑制される。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。【００７７】  特に、本発明に係るマゼンタインク組成物には、目詰まり防止の向上と、記録画像の光沢を向上させるために、グリセリンを１４重量％以上加えることが好ましい。グリセリンとともに、トリエタノールアミン等の有機アルカリを添加してもよい。トリエタノールアミンは、インクのｐＨ調整剤および分散安定剤としての機能をも有するものであり、インク中において０．１〜１０重量％の範囲内で使用することが好ましい。【００７８】  本発明に係るマゼンタインク組成物は、色材として顔料を使用するとともに、該顔料を分散するための分散剤を含有するものが好ましい。分散剤は、この種の顔料インクに使用可能であるものを特に制限なく用いることができ、例えば、カチオン性、アニオン性、ノニオン性の高分子分散剤や界面活性剤等が挙げられる。アニオン性高分子分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−��肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。【００７９】  前記分散剤は、前記顔料の重量を基準として、固形分換算で好ましくは１０〜１４０重量％、更に好ましくは１０〜１００重量％、更に一層好ましくは１０〜６０重量％含まれる。また、インク量に対する分散剤の含有量は、固形分換算で好ましくは０．１〜１０重量％、更に好ましくは０．３〜３重量％である。【００８０】  また、本発明に係るマゼンタインク組成物は、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル若しくは１，２−ヘキサンジオール、またはこれらの２種以上を用いることが好ましい。【００８１】  前記浸透促進剤は、前記インク中、好ましくは１〜２０重量％、更に好ましくは１〜１０重量％含有される。【００８２】  また、本発明に係るマゼンタインク組成物は、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２、４４０、４６５、４８５（何れも商品名、エア・プロダクツ・アンド・ケミカルズ社製）、オルフィンＳＴＧ、オルフィンＥ１０１０（何れも商品名、日信化学株式会社製）等が挙げられ、これらの１種又は２種以上が用いられる。特に、オルフィンＥ１０１０、サーフィノール４６５を用いることが好ましい。また、該シリコーン系化合物としては、市販品としてＢＹＫ３４７、３４８またはＢＹＫＵＶ３５１０（ビックケミージャパン製）等のポリシロキサン系化合物を用いることができる。該アセチレングリコール系化合物及び／又は該シリコーン系化合物は、前記インク中、好ましくは０．０１〜５重量％、更に好ましくは０．１〜１．０重量％、特に好ましくは０．１〜０．５重量％含有される。【００８３】  また、本発明に係るマゼンタインク組成物は、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
本発明に係るマゼンタインク組成物は、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。【００８４】  本発明に係るマゼンタインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。【００８５】  本発明に係るマゼンタインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。【００８６】  本発明に係るマゼンタインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。【００８７】  本発明に係るマゼンタインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本発明に係るマゼンタインク組成物は、塗工層を有するメディアに適用すれば、画像を形成した際のドット表現による粒状の目立ちの抑制を顕著に得ることができる。【００８８】  本明細書において、「塗工層を有するメディア」とは、前述したマゼンタインク組成物を用いて画像を形成する面（被記録面）が少なくとも塗工層で被覆されているものの全てを意味する。この塗工層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板８５度光沢度が１００を示すように予め測定装置を調整しておく。【００８９】  塗工層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Ｐｒｅｍｉｕｍ  Ｇｌｏｓｓｙ  Ｐｈｏｔｏ  Ｐａｐｅｒ）」が挙げられる。【００９０】  また、塗工層を有するメディアの別の例としては、８５度光沢度が１０〜７０であるセミグロス調メディアや、８５度光沢度が１０以下であるマット調メディア等が挙げられる。【００９１】〔インクカートリッジ〕
次に、本発明のインクカートリッジについて説明する。
本発明の第１実施形態は、前述した第１実施態様のマゼンタインク組成物を含むインクカートリッジ、即ち、１００００倍以下の希釈水溶液において、可視吸収スペクトルから算出されるＣＩＥ規格のａ＊値が８０のときに、ｂ＊値が−２９以下であるマゼンタインク組成物（好ましくはさらに、同規格のａ＊値が８０のときにＬ＊値が６０以下である、または顔料濃度が２×１０−３ｇ／ｌてある希釈水溶液において、可視吸収スペクトルから算出されるＣＩＥ規格のａ＊値が７以上であるマゼンタインク組成物）を含むインクカートリッジであり、特に、前述した第１実施態様のマゼンタインク組成物を含むインクカートリッジが好適である。尚、本発明のインクカートリッジは、前記マゼンタインク組成物を用いる点以外については、通常のインクジェット記録用インクカートリッジと同様である。【００９２】  本発明に係るインクカートリッジによれば、高彩度かつ低明度のレッド領域の色再現性および光沢性の向上した画像を得ることができる。【００９３】  本発明の第２の実施形態は、前述した第２実施形態のマゼンタインク組成物を含むインクカートリッジ、即ち、１００００倍以下の希釈水溶液において、可視吸収スペクトルから算出されるＣＩＥ規格のａ＊値が８０のときに、ｂ＊値が−３８以上−２９以下であるマゼンタインク組成物（好ましくはさらに、同規格のａ＊値が８０のときにＬ＊値が６０以下である、または顔料濃度が２×１０−３ｇ／ｌである希釈水溶液において、可視吸収スペクトルから算出されるＣＩＥ規格のａ＊値が５以上であるマゼンタインク組成物）を含むインクカートリッジであり、特に、前述した第２実施態様のマゼンタインク組成物を含むインクカートリッジが好適である。尚、本発明のインクカートリッジは、前記マゼンタインク組成物を用いる点以外については、通常のインクジェット記録用インクカートリッジと同様である。【００９４】  本発明に係るインクカートリッジによれば、高彩度かつ低明度のレッド領域の色再現性、さらに、粒状性および光沢性の向上した画像を得ることができる。【００９５】〔記録方法〕
次に、本発明の記録方法について説明する。
本発明の第１実施形態は、前述した第１実施形態のマゼンタインク組成物を用いて画像を形成する記録方法、即ち、１００００倍以下の希釈水溶液において、可視吸収スペクトルから算出されるＣＩＥ規格のａ＊値が８０のときに、ｂ＊値が−２９以下であるマゼンタインク組成物（好ましくはさらに、同規格のａ＊値が８０のときにＬ＊値が６０以下である、または顔料濃度が２×１０−３ｇ／ｌてある希釈水溶液において、可視吸収スペクトルから算出されるＣＩＥ規格のａ＊値が７以上であるマゼンタインク組成物）を用いて画像を形成する方法であり、特に、前述した第１実施形態のマゼンタインク組成物を用いる記録方法が好適である。尚、本発明の記録方法は、前記マゼンタインク組成物を用いる点以外については、通常のインクジェット記録方法等と同様にして実施される。【００９６】  本発明に係るインクジェット記録方法によれば、高彩度かつ低明度のレッド領域の色再現性および光沢性の向上した画像を得ることができる。【００９７】  また、本発明の第２の実施形態は、前述した第２実施形態のマゼンタインク組成物を用いて画像を形成する記録方法、即ち、１００００倍以下の希釈水溶液において、可視吸収スペクトルから算出されるＣＩＥ規格のａ＊値が８０のときに、ｂ＊値が−３８以上−２９以下であるマゼンタインク組成物（好ましくはさらに、同規格のａ＊値が８０のときにＬ＊値が６０以下である、または顔料濃度が２×１０−３ｇ／ｌである希釈水溶液において、可視吸収スペクトルから算出されるＣＩＥ規格のａ＊値が５以上であるマゼンタインク組成物）を用いて画像を形成する方法であり、特に、前述した第２実施形態のマゼンタインク組成物を用いる記録方法が好適である。尚、本発明の記録方法は、前記マゼンタインク組成物を用いる点以外については、通常のインクジェット記録方法等と同様にして実施される。【００９８】  本発明に係るインクジェット記録方法によれば、高彩度かつ低明度のレッド領域の色再現性、粒状性、および光沢性の向上した画像を得ることができる。【００９９】  本発明の記録方法においては、Ｄｕｔｙ１００％のインク重量が、７〜１３ｍｇ／ｉｎｃｈ２となるように画像を形成することが好ましい。
また、混合色は、Ｄｕｔｙ１２０％のインク重量が、８〜１６ｍｇ／ｉｎｃｈ２となるように画像を形成することが好ましい。【０１００】  尚、本明細書において、「Ｄｕｔｙ」とは、下記式で定義され、算出される値Ｄの単位を示すものである。
Ｄ＝〔実印字ドット数／（縦解像度×横解像度）〕×１００また、Ｄｕｔｙ１００％とは、画素に対する単色の最大インク重量を意味する。【０１０１】〔記録システム〕
本発明は、前述したマゼンタインク組成物を用いて画像を形成する記録システムであり、特に、前述した実施形態に係るマゼンタインク組成物を用いるインクジェットプリンタ等の記録装置その他の記録システムが好適である。【０１０２】〔記録物〕
本発明は、前述したマゼンタインク組成物を用いて画像が形成されてなる記録物であり、特に、前述した実施形態のマゼンタインク組成物を用いたものが好適である。【０１０３】〔第１実施形態のインクセット〕
次に、本発明のインクセット（第１実施形態）について、その好ましい実施態様に基づき説明する。【０１０４】  本発明に係るインクセットは、上述の通り、１００００倍以下の希釈水溶液において、可視吸収スペクトルから算出されるＣＩＥ規格のａ＊値が８０のときに、ｂ＊値が−２９以下、好ましくはｂ＊値が−３５以下であるマゼンタインクを含む。このようなマゼンタインクは、紫領域の色再現性に優れ、輝度系発色であるｓＲＧＢ色空間も記録媒体上に広く色再現可能であり、Ｄｅｓｋｔｏｐ  Ｐｕｂｌｉｓｈｉｎｇ（ＤＴＰ）にも好適である。一方、ｂ＊値が−４０以下になると赤色の発色性が劣化するので、ｂ＊値は−４０以上であることが好ましい。【０１０５】  また、本発明に係るマゼンタインク組成物は、上記ｂ＊値の条件に加え、Ｌ＊値が６０以下であることがさらに好ましい。かかる構成により、高彩度かつ低明度な領域の色再現ができる。【０１０６】  ここで、可視吸収スペクトルから算出されるＣＩＥ規格のＬ＊値、ａ＊値およびｂ＊値の測定、算出法については、前述した第１実施形態のマゼンタインク組成物の場合と同様である。【０１０７】  また、本発明に係るインクセットは、顔料濃度が２×１０−３ｇ／ｌである水溶液において、可視吸収スペクトルから算出されるＣＩＥ規格のａ＊値が７以上であるマゼンタインクを含むことが好ましい。特に、高彩度なレッド領域の色再現性の点で、ａ＊値は８以上であることがさらに好ましく、９以上であることがさらに一層好ましい。本発明に係るインクセットに含まれるマゼンタインクは、２×１０−３ｇ／ｌ濃度の水溶液の場合にａ＊値が７以上となるが、その他の濃度においてａ＊値が７以上であってもよい。【０１０８】  本発明のインクセットが備えるマゼンタインクは、Ｃ．Ｉ．ピグメントヴァイオレット３２（ＰＶ３２）を顔料として含むことが好ましい。ＰＶ３２を含むマゼンタインクは、比較的低濃度であっても、高彩度かつ低明度のレッド領域について十分な色再現性を得ることができる。インクの粘度が高くなりすぎないように、ＰＶ３２の濃度は、４重量％以下、好ましくは２重量％以下である。【０１０９】  なお、本発明のインクセットが備えるマゼンタインクは、１００００倍以下の希釈水溶液において、可視吸収スペクトルから算出されるＣＩＥ規格のａ＊値が８０のときに、ｂ＊値が−２９以下である限り、ＰＶ３２を含有しなくてもよい。例えば、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、２０７、２０９、Ｃ．Ｉ．ピグメントヴァイオレット１９等の１種又は２種以上を含有してもよいし、これらとＰＶ３２とを組み合わせてもよい。【０１１０】  また、本発明のインクセットが備えるマゼンタインクは、前述した第１実施形態のマゼンタインク組成物と同様の理由から、湿潤剤として高沸点有機溶媒、グリセリンを含有することが好ましい。これらの高沸点有機溶媒、グリセリン、及びそれらのマゼンタインク中の含有量、好適態様については、前述した第１実施形態のマゼンタインク組成物について説明したことと同様であるため、前述した事項が本発明のインクセットにおいても同様���適用される。【０１１１】  本発明に係るインクセットはまた、上記マゼンタインク（Ｍ）に加えて、イエローインク（Ｙ）とシアンインク（Ｃ）とを備えていることが好ましい。かかるＹＭＣインクは、高彩度かつ低明度なレッド領域の色再現性に特に優れている。【０１１２】  イエローインクおよびシアンインクの色材（着色剤）は、記録物の画像堅牢性に優れる等の観点から、顔料が好ましい。顔料としては、無機顔料および有機顔料を使用することができ、それぞれ単独又は複数種混合して用いることができる。前記無機顔料としては、例えば、酸化チタンおよび酸化鉄の他に、コンタクト法、ファーネス法、サーマル法等の公知の方法によって製造されたカーボンブラック等が使用できる。また、前記有機顔料としては、アゾ顔料（アゾレーキ、不溶性アゾ顔料、縮合アゾ顔料、キレートアゾ顔料等を含む）、多環式顔料（例えば、フタロシアニン顔料、ペリレン顔料、ペリノン顔料、アントラキノン顔料、キナクリドン顔料、ジオキサジン顔料、チオインジゴ顔料イソインドリノン顔料、キノフラロン顔料等）、染料キレート（例えば、塩基性染料型キレート、酸性染料型キレート等）、ニトロ顔料、ニトロソ顔料、アニリンブラック等が使用できる。【０１１３】  上記イエローインクの顔料濃度は５．５重量％以下、シアンインクの顔料濃度は４％以下であることが好ましい。インクセットの総顔料濃度を低くすることにより、光沢系メディアに各インクの混合色を記録する場合の光沢を向上させることができる。【０１１４】  本発明に係るインクセットに含まれるイエローインクの顔料としては、例えば、ＰＹ７４、９３、１０９、１１０、１２８、１３８、１５０、１５１、１５４、１５５、１８０、１８５等を用いることができ、中でもＰＹ７４が好ましい。ＰＹ７４は、顔料濃度が低くても、光沢系記録媒体において、ｂ＊軸上で高明度かつ高彩度の色再現ができる。【０１１５】  一方、本発明に係るインクセットに含まれるシアンインクの顔料としては、例えばＣ．Ｉ．ピグメントブルー１，２，３，１５：３，１５：４，１５：３４，１６，２２，６０；Ｃ．Ｉ．バットブルー４，６０等の１種又は２種以上が挙げられる。中でも、Ｃ．Ｉ．ピグメントブルー１５：３が好ましい。ＰＢ１５：３は、本発明に係るマゼンタインクと組み合わせると、低顔料固形分でも、光沢系記録媒体において、ｂ＊軸上で高明度かつ高再度な領域の色再現ができる。【０１１６】  また、本発明に係るインクセットは、上記ＹＭＣインクに加えて、フォトブラックインク（ＰＫ）および／またはマットブラックインク（ＭＫ）などのブラックインクを備えることもできる。これにより上記効果に加えて、さらに黒の発色が良好なインクセットを得られる。また一般に黒は他の色よりも良く使用されるので、ＹＭＣインクとは別に備えておけば、ブラックインクのみを補充することができるので好適である。【０１１７】  また本発明に用いられるブラックインクとしては、その色材として、例えば、ファーネスブラック、ランプブラック、アセチレンブラック、チャネルブラック等のカーボンブラック（Ｃ．Ｉ．ピグメントブラック７）類、酸化鉄顔料等の無機顔料；アニリンブラック（Ｃ．Ｉ．ピグメントブラッ��１）等の有機顔料等を含むものが挙げられる。これらの顔料の中でも、特にカーボンブラックを用いることが好ましく、好ましいカーボンブラックの例として、三菱化学製のＮｏ．２３００，Ｎｏ．９００，ＭＣＦ８８，Ｎｏ．３３，Ｎｏ．４０，Ｎｏ．５２，ＭＡ７，ＭＡ８，ＭＡ１００，  Ｎｏ．２２００Ｂ等、コロンビア社製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等、キャボット社製のＲｅｇａｌ  ４００Ｒ，Ｒｅｇａｌ  ４００Ｒ，Ｒｅｇａｌ  １６６０Ｒ，Ｍｏｇｕｌ  １，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００等、テグッサ社製のＣｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ  ４等が挙げられる。ブラックインク中における顔料の含有量は、好ましくは０．１〜１０．０重量％、更に好ましくは１．０〜８．０重量％である。【０１１８】  さらに、本発明のインクセットは、前記のインク以外にも、例えば、透明インク、白インク等の他のインクを１種又は２種以上で備えていてもよい。【０１１９】  本発明のインクセットが備える各インクは、色材として顔料を使用するとともに、該顔料を分散するための分散剤を含有するものが好ましい。分散剤及びそのインク中の含有量（固形分換算）としては、前述した第１実施形態のマゼンタインク組成物の場合と同様であるため、前述した事項が同様に適用される。【０１２０】  特に、マゼンタインク、イエローインク、シアンインクにおいては、前記分散剤は、前記顔料の重量を基準として、固形分換算で好ましくは１０〜１４０重量％、更に好ましくは１０〜１００重量％、更に一層好ましくは１０〜４０重量％含まれる。【０１２１】  また、本発明のインクセットが備える各インクはマゼンタインク以外のインクも、インクジェット記録用に用いた場合に、インクの乾燥を防いでインクジェットプリンタのヘッドでの目詰まりを防止する観点から、高沸点有機溶媒を含むものが好ましい。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチ��エーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。特に、グリセリンとともに、トリエタノールアミン等の有機アルカリを添加することが、目詰まり防止の向上と、色材の分散性を安定させ、記録画像の光沢を向上させるため好ましい。【０１２２】  前記高沸点有機溶媒は、前記各インク中、好ましくは０．１〜３０重量％、更に好ましくは０．５〜２５重量％含有される。【０１２３】  また、これらの高沸点有機溶媒のうちトリエタノールアミンは、インクのｐＨ調整剤及び分散安定剤としての機能をも有するものであり、その機能を良好に発揮する点で、該トリエタノールアミンを各インク中において０．１〜１０重量％の範囲内で使用することが好ましい。【０１２４】  本発明のインクセットが備える各インクには前述した第１実施形態のマゼンタインク組成物と同様に、浸透促進剤、各種界面活性剤、低沸点有機溶媒、水等の各種成分が同様の理由で含有され得る。本発明のインクセットが備える各インクに含有される各成分、それらの含有量、好適態様、含有する水、更に含有できる添加剤、調製装置及び調製法、本発明のインクセットの用途については、前述した第１実施形態のマゼンタインク組成物について説明したことと同様であるため、前述した事項が本発明のインクセットにおいても同様に適用される。【０１２５】  また、本発明のインクセットは、前記のようにインクジェット記録方法に用いた場合に、インクジェット記録用インクセットとして信頼性が高いものである。特に、インクセット中のマゼンタインクとして、１００００倍以下の希釈水溶液において、可視吸収スペクトルから算出されるＣＩＥ規格のａ＊値が８０のときに、ｂ＊値が−２９以下であるインク（好ましくはさらに、同規格のａ＊値が８０のときにＬ＊値が６０以下である、または顔料濃度が２×１０−３ｇ／ｌである希釈水溶液において、可視吸収スペクトルから算出されるＣＩＥ規格のａ＊値が７以上であるマゼンタインク組成物）を用いることによって、高彩度かつ低明度領域の色再現性に優れ、かつ十分な湿潤剤を加えることができることによりインクジェット式吐出ヘッドでの目詰まりを抑制することができる好適なものである。【０１２６】  本発明のインクセットは、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。特に、本発明のインクセットを、塗工層を有するメディアに適用すれば、画像を形成した際のドット表現による粒状性の目立ちの抑制を顕著に得ることができる。【０１２７】  「塗工層を有するメディア」については、前述した第１実施形態のマゼンタインク組成物に適用できるものと同様であり、前述した通りである。
また、本発明のインクセットは、Ｌ版等の比較的小さなサイズのメディア（好ましくは塗工層を有するメディア）に対して低解像度で記録しても、ドット表現による粒状性を極めて抑制できる。このため、本発明のインクセットは、Ｌ版等の比較的小さなサイズのメディアに対して特に有用である。【０１２８】〔変更形態〕
本発明は、前述した各実施形態を好適に提供するものであるが、これらの実施形態に限定されず、その趣旨を逸脱しない範囲内で種々の変更が可能である。【０１２９】  前述した第１実施形態のインクセットでは、マゼンタインクは、Ｃ．Ｉ．ピグメントヴァイオレット３２を含むことが好ましいが、その他、Ｃ．Ｉ．ピグメントヴァイオレット３２及びＣ．Ｉ．ピグメントヴァイオレット１９を顔料として含むマゼンタインクを備える第２実施形態のインクセットも好ましい。特にこのＰＶ３２とＰＶ１９との組み合わせは、高彩度かつ低明度の色再現性に加え、粒状性にも優れている。【０１３０】  上記インクセットにおける上述した構成以外の構成については、前述の実施形態と同様であり、各記載事項が適宜適用される。【０１３１】  なお、本発明に好適に用いられるＣ．Ｉ．ピグメントヴァイオレット３２自体は、高彩度・低明度の色彩を実現する色材として、非常に優れたものである。高彩度という特徴の結果、色材濃度を下げることができ、この結果保湿剤を大量に添加することが可能となって、インクの信頼性向上に寄与することができる。一方、Ｃ．Ｉ．ピグメントヴァイオレット３２は低明度であるため粒状性が低下することもあり、これを補うために、Ｃ．Ｉ．ピグメントヴァイオレット１９をも含むインク組成物、あるいは、これらの色材を含むインク組成物との併用（マゼンタインク組成物が２色等）を好適態様とする上記のマゼンタインク組成物及びこれを含むインクセットが提供される。【０１３２】〔インクカートリッジ〕
次に、本発明のインクカートリッジについて説明する。
本発明の第１実施形態は、前述した第１実施態様のインクセットを含むインクカートリッジ、即ち、１００００倍以下の希釈水溶液において、可視吸収スペクトルから算出されるＣＩＥ規格のａ＊値が８０のときに、ｂ＊値が−２９以下であるマゼンタインク組成物（好ましくはさらに、同規格のａ＊値が８０のときにＬ＊値が６０以下である、または顔料濃度が２×１０−３ｇ／ｌである希釈水溶液において、可視吸収スペクトルから算出されるＣＩＥ規格のａ＊値が７以上であるマゼンタインク組成物）、を含むインクセットを備えるインクカートリッジであり、特に、前述した第１実施態様のインクセットを含むインクカートリッジが好適である。尚、本発明のインクカートリッジは、前記マゼンタインク組成物を含むインクセットを用いる点以外については、通常のインクジェット記録用インクカートリッジと同様である。【０１３３】  本発明に係るインクカートリッジによれば、高彩度かつ低明度のレッド領域の色再現性および光沢性の向上した画像を得ることができる。【０１３４】  本発明の第２の実施形態は、前述した第２実施形態のインクセットを含むインクカートリッジ、即ち、１００００倍以下の希釈水溶液において、可視吸収スペクトルから算出されるＣＩＥ規格のａ＊値が８０のときに、ｂ＊値が−３８以上−２９以下であるマゼンタインク組成物（好ましくはさらに、同規格のａ＊値が８０のときにＬ＊値が６０以下である、または顔料濃度が２×１０−３ｇ／ｌてある希釈水溶液において、可視吸収スペクトルから算出されるＣＩＥ規格のａ＊値が５以上であるマゼンタインク組成物）を含むインクセットを備えるインクカートリッジであり、特に、前述した第２実施態様のインクセットを含むインクカートリッジが好適である。尚、本発明のインクカートリッジは、前記マゼンタインク組成物を含むインクセットを用いる点以外については、通常のインクジェット記録用インクカートリッジと同様である。【０１３５】  本発明に係るインクカートリッジによれば、高彩度かつ低明度のレッド領域の色再現性、さらに、粒状性および光沢性の向上した画像を得ることができる。【０１３６】〔記録方法〕
本発明の第１実施形態は、前述した第１実施形態のインクセットを用いて画像を形成する記録方法、即ち、１００００倍以下の希釈水溶液において、可視吸収スペクトルから算出されるＣＩＥ規格のａ＊値が８０のときに、ｂ＊値が−２９以下であるマゼンタインク（好ましくはさらに、同規格のａ＊値が８０のときにＬ＊値が６０以下である、または顔料濃度が２×１０−３ｇ／ｌてある希釈水溶液において、可視吸収スペクトルから算出されるＣＩＥ規格のａ＊値が７以上であるマゼンタインク）、を含むインクセットを用いて画像を形成する方法であり、特に、前述した第１実施形態のインクセットを用いる記録方法が好適である。尚、本発明の記録方法は、前記第１実施形態のインクセットを用いる点以外については、通常のインクジェット記録方法等と同様にして実施される。【０１３７】  また、本発明の第２実施形態は、前述した第２実施形態のインクセットを用いて画像を形成する記録方法、即ち、１００００倍以下の希釈水溶液において、可視吸収スペクトルから算出されるＣＩＥ規格のａ＊値が８０のときに、ｂ＊値が−３８以上−２９以下であるマゼンタインク（好ましくはさらに、同規格のａ＊値が８０のときにＬ＊値が６０以下である、または顔料濃度が２×１０−３ｇ／ｌである希釈水溶液において、可視吸収スペクトルから算出されるＣＩＥ規格のａ＊値が５以上であるマゼンタインク）、を含むインクセットを用いて画像を形成する方法であり、特に、前述した第２実施形態のインクセットを用いる記録方法が好適である。尚、本発明の記録方法は、第２実施形態のインクセットを用いる点以外については、通常のインクジェット記録方法等と同様にして実施される。【０１３８】  本発明の記録方法としては、特に、複数色の前記インクの液滴をそれぞれ吐出させ、記録媒体上に、１色（単色）を形成する場合には、その色に対応するインクにより画像を形成し、２次色以上の混色部分（各インク単独では形成できない色）を形成する場合には、インクセットに含まれるインクのうち少なくとも２種により、該混色部分を形成するインクジェット記録方法を好適に提供するものである。【０１３９】  本発明に係るインクジェット記録方法によれば、レッド領域において高彩度かつ低明度の色再現性が一層向上した画像を得ることができる。更にこれらに加えてブラックインク（ＰＫおよび／またはＭＫ）により該混色部分を形成するインクジェット記録方法も提供することができる。【０１４０】  本発明の記録方法においては、Ｄｕｔｙ１００％のインク重量が、７〜１３ｍｇ／ｉｎｃｈ２となるように画像を形成することが好ましい。
また、混合色は、Ｄｕｔｙ１２０％のインク重量が、８〜１６ｍｇ／ｉｎｃｈ２となるように画像を形成することが好ましい。【０１４１】  尚、本明細書において、「Ｄｕｔｙ」とは、下記式で定義され、算出される値Ｄの単位を示すものである。
Ｄ＝〔実印字ドット数／（縦解像度×横解像度）〕×１００また、Ｄｕｔｙ１００％とは、画素に対する単色の最大インク重量を意味する。【０１４２】〔記録システム〕
本発明は、前述したインクセットを用いて画像を形成する記録システムであり、特に、前述した実施形態に係るインクセットを用いるインクジェットプリンタ等の記録装置その他の記録システムが好適である。【０１４３】〔記録物〕
本発明は、前述したインクセットを用いて画像が形成されてなる記録物であり、特に、前述した実施形態のインクセットを用いたものが好適である。【０１４４】  以下に、本発明の実施例および試験例を挙げて、本発明をより具体的に説明するが、本発明はかかる実施例により何等制限されるものではない。【０１４５】〔実施例Ａ〕
〔インクの調製〕
本発明に係るマゼンタインク組成物として、顔料ＰＶ３２を含むマゼンタインク組成物（Ｍ１）および（Ｍ２）を調製した。【０１４６】＜実施例１（Ｍ１）＞
Ｃ．Ｉ．ピグメントヴァイオレット３２      ４．０重量％
分散剤（スチレン−アクリル酸共重合体）            ２．０重量％
グリセリン                          １４．０重量％
１，２−ヘキサンジオール                    ７．０重量％
トリエタノールアミン                    ０．９重量％
ＢＹＫ３４８                        ０．１重量％
超純水                                      残分
計  １００．０重量％【０１４７】＜実施例２（Ｍ２）＞
Ｃ．Ｉ．ピグメントヴァイオレット３２      ２．０重量％
分散剤（スチレン−アクリル酸共重合体）            １．０重量％
グリセリン                              ２０．０重量％
１，２−ヘキサンジオール                        ７．０重量％
トリエタノールアミン                          ０．９重量％
ＢＹＫ３４８                                ０．１重量％
超純水                                              残分
計  １００．０重量％【０１４８】  また、比較例として、ＰＶ３２を含まないマゼンタインク組成物（ｍ１）を調整した。
＜比較例１（ｍ１）＞
Ｃ．Ｉ．ピグメントレッド２０２            ２．０重量％
分散剤（スチレン−アクリル酸共重合体）              ２．８重量％
グリセリン                                  １２．０重量％
１，２−ヘキサンジオール                            ７．０重量％
トリエタノールアミン                              ０．９重量％
ＢＹＫ３４８                                    ０．１重量％
超純水                                                  残分
計  １００．０重量％
各インクについて、逆流式粘度を測定した結果を表１に示す。【０１４９】
0004872127.tif 000002
【０１５０】  この結果から、マゼンタインクＭ１およびＭ２は、グリセリン濃度がそれぞれ１４．０重量％および２０．０重量％と高いにもかかわらず、グリセリンを１２．０重量％しか添加していないｍ１と、同等の粘度を示すことがわかった。これは、Ｍ１およびＭ２では、顔料が低濃度であるためであるが、後述するように、Ｃ．Ｉ．ピグメントヴァイオレット３２を含むマゼンタインク組成物は高彩度であるため、顔料濃度を下げても十分な発色が得られ、この結果グリセリン等の保湿剤をより多く添加することが可能となり、目詰まり性、信頼性という点でマージンを稼ぐことができる。【０１５１】  （目詰まり性の評価）
ＰＶ３２を含むマゼンタインクＭ１およびＭ２（実施例）と、ＰＶ３２を含まないマゼンタインクｍ１（比較例）とについて、目詰まり性を評価した。【０１５２】  まず、各インクが充填されたインクカートリッジを用意し、未使用のインクジェットプリンタＰＸ−Ｇ９００（セイコーエプソン社製）の全列において、各インクカートリッジでヘッドにインクを充填した。その後、プリンタ・ドライバを使用してノズルチェックを実施し、異常がないことを確認した。【０１５３】  次に、インクカートリッジを外してプリンタからヘッドを取り出し、このヘッドを４０℃、湿度２０％の恒温槽に１０日間放置した。１０日後、ヘッドとインクカートリッジを上記プリンタに取り付け、プリンタ・ドライバを利用してノズルチェックを実施した。
異常があった場合には、プリンタ・ドライバを使用してクリーニングを実施した後、再度ノズルチェックを実施した。さらに異常が検出される場合、ノズルチェックが正常になるまで、クリーニングおよびノズルチェックを繰り返した。【０１５４】  その結果、全列にマゼンタインクＭ１またはＭ２が充填されていたヘッドは、クリーニング５回以内で、ノズルチェックが正常に出力された。一方、全列にマゼンタインクｍ１が充填されていたヘッドは、クリーニング５回以内ではノズルチェックが正常に出力されなかった。以上から、マゼンタインクＭ１およびＭ２は、比較例のマゼンタインクｍ１よりもヘッドでの目詰まりが生じにくく、インクジェット法に適したインクであることがわかった。これは、Ｍ１およびＭ２は比較的顔料濃度が低いため、湿潤剤としてのグリセリンを高濃度にできたことによるものと考えられる。【０１５５】  （Ｄｕｔｙを変化させた場合のマゼンタインクのＬ＊値、ａ＊値、ｂ＊値の測定）
マゼンタインクとして、ＰＶ３２、ＰＶ１９、ＰＲ２０２のそれぞれを２重量％、４重量％または６重量％含むインクを調製した。各インクの組成は以下の表２のとおりである。【０１５６】
0004872127.tif 000003
【０１５７】  これらのインクを塗工層を有するメディアに印刷し、ＣＩＥで規程するＬ＊値、ａ＊値、ｂ＊値を測定した。この値を用いて、下記式からＣ＊を求め、式：Ｃ＊＝（ａ＊２＋ｂ＊２）１／２からＣ＊値を求め、式ｈ＝ｔａｎ−１（ｂ＊／ａ＊）からｈを求めた。【０１５８】  具体的には、各マゼンタインクをインクジェットプリンタＰＭ９００Ｃ（セイコーエプソン社製）に充填し、塗工層を有するメディアの一例として、上述したＰＧＰＰ（セイコーエプソン社製）に印刷し、各記録物を得た。印刷は、Ｄｕｔｙを１５％〜２５５％まで変化させ（インク重量１０〜１１ｍｇ／ｉｎｃｈ２）、各マゼンタインクを吐出した。【０１５９】  得られた印刷物を、グレタグ社製マクベスＳＰＭ５０を用いて、Ｄ５０光源、視野角２度で測定し、ＣＩＥで規定するＬ＊値、ａ＊値、ｂ＊値、Ｃ＊値およびｈ値を得た。
表３〜１１に測定結果を示す。【０１６０】
0004872127.tif 000004
【０１６１】
0004872127.tif 000005
【０１６２】
0004872127.tif 000006
【０１６３】
0004872127.tif 000007
【０１６４】
0004872127.tif 000008
【０１６５】
0004872127.tif 000009
0004872127.tif 000010
【０１６６】
0004872127.tif 000011
【０１６７】
0004872127.tif 000012
【０１６８】
0004872127.tif 000013
0004872127.tif 000014
【０１６９】  図１〜４に、表３〜１１のａ＊値を横軸に、Ｌ＊値を縦軸にとったグラフを示す。
図１〜３から、いずれの濃度においても、ＰＶ３２を含むマゼンタインクが、ａ＊値で表される彩度が高く、かつＬ＊値で表される明度が低い領域での色再現性が優れていることが示された。また、図４から、ＰＶ３２を含むインクは２重量％と低濃度でも、ＰＲ２０２を６重量％含むインクと、同程度の彩度および明度を得られることがわかった。【０１７０】（マゼンタインクの希釈水溶液のＬ＊、ａ＊、ｂ＊値の測定）
ＰＶ３２、ＰＶ１９、およびＰＲ２０２のいずれか１種類の顔料濃度が４重量％となるように、実施例及び比較例のマゼンタインク組成物を調製した後、ａ＊値が８０となるようにこのインクを水で希釈した。ＰＶ３２を含む水溶液は約１５００倍、ＰＶ１９を含む水溶液は約５００倍、ＰＲ２０２を含む水溶液は約６６０倍の希釈が必要とされた。【０１７１】  各水溶液のＬ＊値、ａ＊値、ｂ＊値の測定は、日立製作所社製のＵ３３００を用いて行った。具体的には、スキャンスピード６００ｎｍ／ｍｉｎ、測定波長範囲３８０〜８００ｎｍ、スリット幅２．０ｎｍの条件で透過率測定し、Ｄ６５光源、視野角２度において算出した。【０１７２】  結果を下記の表１２に示す。表１２中の左端の列に顔料の種類、濃度を示すが、上段から下段にかけて、実施例及び２つの比較例の各インク組成物にそれぞれ対応する。【０１７３】
0004872127.tif 000015
0004872127.tif 000016
【０１７４】  ａ＊値が８０のとき、Ｌ＊値が６０以下（詳細には５０以下）であり、かつｂ＊値が−２９以下であり、高彩度かつ低明度な領域の色再現性に優れるのは、ＰＶ３２を含む水溶液だけであった。【０１７５】  次に、ＰＶ３２、ＰＶ１９およびＰＲ２０２のいずれか１種類の顔料を２％含む水溶液を調製し、これを１００００倍に希釈して、それぞれ顔料濃度が２×１０−３ｇ／ｌの水溶液として、Ｌ＊、ａ＊およびｂ＊値を、上記方法に従って測定した。結果を表１３に示す。【０１７６】
0004872127.tif 000017
【０１７７】  この結果から、顔料濃度２×１０−３ｇ／ｌの水溶液で、ａ＊値が７以上（詳細には９以上）となり、高彩度な領域における色再現性にもっとも優れていたのは、ＰＶ３２を含む水溶液であった。【０１７８】  以上より、１００００倍以下の希釈水溶液において、可視吸収スペクトルから算出されるＣＩＥ規格のａ＊値が８０のときに、Ｌ＊値が６０以下（詳細には５０以下）であり、かつｂ＊値が−２９以下であるマゼンタインク、および顔料濃度が２×１０−３ｇ／ｌである希釈水溶液において、可視吸収スペクトルから算出されるＣＩＥ規格のａ＊値が７以上であるマゼンタインクは、高彩度かつ低明度な領域での色再現性に優れ、光沢に富み、インクジェット式記録ヘッドでの目詰まりをおこしにくいことが確認された。【０１７９】〔実施例Ｂ〕
＜実施例１（Ｍ１）＞
Ｃ．Ｉ．ピグメントヴァイオレット３２          ２．０重量％
Ｃ．Ｉ．ピグメントヴァイオレット１９          ２．０重量％
分散剤（スチレン−アクリル酸共重合体）                ２．０重量％
グリセリン                              １４．０重量％
１，２−ヘキサンジオール                        ７．０重量％
トリエタノールアミン                        ０．９重量％
ＢＹＫ３４８                              ０．１重量％
超純水                                            残分
計  １００．０重量％【０１８０】＜実施例２（Ｍ２）＞
Ｃ．Ｉ．ピグメントヴァイオレット３２            １．０重量％
Ｃ．Ｉ．ピグメントヴァイオレット１９            １．０重量％
分散剤（スチレン−アクリル酸共重合体）                  １．０重量％
グリセリン                          ２０．０重量％
１，２−ヘキサンジオール                      ７．０重量％
トリエタノールアミン                        ０．９重量％
ＢＹＫ３４８                              ０．１重量％
超純水                                            残分
計  １００．０重量％【０１８１】  また、比較例として、ＰＶ３２及びＰＶ１９に代えて、Ｃ．Ｉ．ピグメントレッド２０２（以下、ＰＲ２０２とも称する）を用いたマゼンタインク組成物（ｍ１）を調整した。【０１８２】＜比較例１（ｍ１）＞
Ｃ．Ｉ．ピグメントレッド２０２            ２．０重量％
分散剤（スチレン−アクリル酸共重合体）        ２．８重量％
グリセリン                                  １２．０重量％
１，２−ヘキサンジオール                            ７．０重量％
トリエタノールアミン                      ０．９重量％
ＢＹＫ３４８                          ０．１重量％
超純水                                        残分
計  １００．０重量％
各インクについて、逆流式粘度を測定した結果を表１４に示す。【０１８３】
0004872127.tif 000018
【０１８４】  この結果から、マゼンタインクＭ１およびＭ２は、グリセリン濃度がそれぞれ１４．０重量％および２０．０重量％と高いにもかかわらず、グリセリンを１２．０重量％しか添加していないｍ１と、同等の粘度を示すことがわかった。これは、Ｍ１およびＭ２では、顔料が低濃度であるためであるが、後述するように、Ｃ．Ｉ．ピグメントヴァイオレット３２を含むマゼンタインク組成物は高彩度であるため、顔料濃度を下げても十分な発色が得られ、この結果グリセリン等の保湿剤をより多く添加することが可能となり、目詰まり性、信頼性という点でマージンを稼ぐことができる。【０１８５】  （目詰まり性の評価）
ＰＶ３２とＰＶ１９を含むマゼンタインクＭ１およびＭ２（実施例１及び２）と、ＰＲ２０２を含むマゼンタインクｍ１（比較例１）とについて、目詰まり性を評価した。【０１８６】  まず、各インクが充填されたインクカートリッジを用意し、未使用のインクジェットプリンタＰＸ−Ｇ９００（セイコーエプソン社製）の全列において、各インクカートリッジでヘッドにインクを充填した。その後、プリンタ・ドライバを使用してノズルチェックを実施し、異常がないことを確認した。【０１８７】  次に、インクカートリッジを外してプリンタからヘッドを取り出し、このヘッドを４０℃、湿度２０％の恒温槽に１０日間放置した。１０日後、ヘッドとインクカートリッジを上記プリンタに取り付け、プリンタ・ドライバを利用してノズルチェックを実施した。【０１８８】  異常があった場合には、プリンタ・ドライバを使用してクリーニングを実施した後、再度ノズルチェックを実施した。さらに異常が検出される場合、ノズルチェックが正常になるまで、クリーニングおよびノズルチェックを繰り返した。【０１８９】  その結果、全列にマゼンタインクＭ１またはＭ２が充填されていたヘッドは、クリーニング５回以内で、ノズルチェックが正常に出力された。一方、全列にマゼンタインクｍ１が充填されていたヘッドは、クリーニング５回以内ではノズルチェックが正常に出力されなかった。以上から、マゼンタインクＭ１およびＭ２は、比較例のマゼンタインクｍ１よりもヘッドでの目詰まりが生じにくく、インクジェット法に適したインクであることがわかった。これは、Ｍ１およびＭ２は比較的顔料濃度が低いため、湿潤剤としてのグリセリンを高濃度にできたことによるものと考えられる。【０１９０】  （Ｄｕｔｙを変化させた場合のマゼンタインクのＬ＊値、ａ＊値、ｂ＊値の測定）
マゼンタインクとして、ＰＶ３２＋ＰＶ１９を４重量％（混合比１：１と、２：１と、１：２のそれぞれ）、ＰＶ３２＋ＰＶ１９を２重量％（混合比１：１）、ＰＲ２０２を４重量％、ＰＶ３２、ＰＶ１９、のいずれかを４重量％含むインクを調製した。各インクの組成は以下のとおりである。【０１９１】＜ＰＶ３２＋ＰＶ１９（１：１）＝合計４重量％（実施例１）＞
Ｃ．Ｉ．ピグメントヴァイオレット３２          ２．０重量％
Ｃ．Ｉ．ピグメントヴァイオレット１９          ２．０重量％
分散剤（スチレン−アクリル酸共重合体）                ２．０重量％
グリセリン                                １４．０重量％
１，２−ヘキサンジオール                          ７．０重量％
トリエタノールアミン                          ０．９重量％
ＢＹＫ３４８                                ０．１重量％
超純水                                              残分
計  １００．０重量％【０１９２】＜ＰＶ３２＋ＰＶ１９（１：１）＝合計２重量％（実施例２）＞
Ｃ．Ｉ．ピグメントヴァイオレット３２          １．０重量％
Ｃ．Ｉ．ピグメントヴァイオレット１９          １．０重量％
分散剤（スチレン−アクリル酸共重合体）              １．０重量％
グリセリン                                ２０．０重量％
１，２−ヘキサンジオール                          ７．０重量％
トリエタノールアミン                        ０．９重量％
ＢＹＫ３４８                            ０．１重量％
超純水                                          残分
計  １００．０重量％【０１９３】＜ＰＶ３２＋ＰＶ１９（２：１）＝合計４重量％（実施例３）＞
Ｃ．Ｉ．ピグメントヴァイオレット３２          ２．７重量％
Ｃ．Ｉ．ピグメントヴァイオレット１９          １．３重量％
分散剤（スチレン−アクリル酸共重合体）              ２．０重量％
グリセリン                                  １４．０重量％
１，２−ヘキサンジオール                            ７．０重量％
トリエタノールアミン                              ０．９重量％
ＢＹＫ３４８                                  ０．１重量％
超純水                                                残分
計  １００．０重量％【０１９４】＜ＰＶ３２＋ＰＶ１９（１：２）＝合計４重量％（実施例４）＞
Ｃ．Ｉ．ピグメントヴァイオレット３２          １．３重量％
Ｃ．Ｉ．ピグメントヴァイオレット１９          ２．７重量％
分散剤（スチレン−アクリル酸共重合体）                ２．０重量％
グリセリン                                  １４．０重量％
１，２−ヘキサンジオール                            ７．０重量％
トリエタノールアミン                              ０．９重量％
ＢＹＫ３４８                                    ０．１重量％
超純水                                                  残分
計  １００．０重量％【０１９５】＜ＰＲ２０２：４重量％（比較例１）＞
Ｃ．Ｉ．ピグメントレッド２０２              ４．０重量％
分散剤（スチレン−アクリル酸共重合体）              ２．８重量％
グリセリン                                １２．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０１９６】＜ＰＶ１９：４重量％（比較例２）＞
Ｃ．Ｉ．ピグメントヴァイオレット１９          ４．０重量％
分散剤（スチレン−アクリル酸共重合体）                ２．０重量％
グリセリン                                １４．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０１９７】＜ＰＶ３２：４重量％（比較例３）＞
Ｃ．Ｉ．ピグメントヴァイオレット３２          ４．０重量％
分散剤（スチレン−アクリル酸共重合体）                ２．８重量％
グリセリン                                １２．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０１９８】  これらのインクを塗工層を有するメディアに印刷し、ＣＩＥで規程するＬ＊値、ａ＊値、ｂ＊値を測定した。この値を用いて、下記式からＣ＊を求め、式：Ｃ＊＝（ａ＊２＋ｂ＊２）１／２からＣ＊値を求め、式ｈ＝ｔａｎ−１（ｂ＊／ａ＊）からｈを求めた。【０１９９】  具体的には、各マゼンタインクをインクジェットプリンタＰＭ９００Ｃ（セイコーエプソン社製）に充填し、塗工層を有するメディアの一例として、上述したＰＧＰＰ（セイコーエプソン社製）に印刷し、各記録物を得た。印刷は、Ｄｕｔｙを１５％〜２５５％まで変化させ（インク重量１０〜１１ｍｇ／ｉｎｃｈ２）、各マゼンタインクを吐出した。【０２００】  得られた印刷物を、グレタグ社製マクベスＳＰＭ５０を用いて、Ｄ５０光源、視野角２度で測定し、ＣＩＥで規定するＬ＊値、ａ＊値、ｂ＊値、Ｃ＊値およびｈ値を得た。
表１５〜２１に測定結果を示す。【０２０１】
0004872127.tif 000019
【０２０２】
0004872127.tif 000020
【０２０３】
0004872127.tif 000021
【０２０４】
0004872127.tif 000022
0004872127.tif 000023
【０２０５】
0004872127.tif 000024
【０２０６】
0004872127.tif 000025
【０２０７】
0004872127.tif 000026
【０２０８】  図５に、表１５〜２１のａ＊値を横軸に、ｂ＊値を縦軸にとったグラフを示す。
図６に、表１５〜２１のａ＊値を横軸に、Ｌ＊値を縦軸にとったグラフを示す。図６のグラフのうち、ａ＊値が０〜４０の部分を図７に、ａ＊値が６０〜８５の部分を図８にそれぞれ詳細に示す。【０２０９】  図５より、実施例１〜４及び比較例１〜３の各インク組成物は、ほぼ同等の色再現性を有すると認められる。一方、実施例２のインク組成物は、他のインク組成物と比して顔料固形分が低いことを考慮すると、本発明に係るインク組成物は色再現性に優れていることがわかる。【０２１０】  図７より、比較例２のインク組成物は、実施例１〜４のインク組成物よりも低ａ＊領域でのＬ＊が高く、粒状性に優れていることがわかる。しかし、図８を見ると、高ａ＊領域で暗部の発色性に劣る。一方、比較例１及び比較例３のインク組成物は、比較例２のインク組成物とは逆で、高ａ＊領域の暗部の発色性は実施例１〜４のインク組成物と同等であるが、低ａ＊領域のＬ＊が低く、粒状性に劣る。実施例１〜４のインク組成物は、粒状性と暗部の発色性のバランスに優れている。すなわち、高彩度かつ低明度のレッド領域の色再現性に優れ、且つ粒状性にも優れることがわかる。【０２１１】（マゼンタインクの希釈水溶液のＬ＊、ａ＊、ｂ＊値の測定）
ＰＶ３２及びＰＶ１９の混合（混合比１：１、２：１、１：２）、ＰＶ３２、ＰＶ１９、およびＰＲ２０２の顔料濃度がそれぞれ４重量％（混合物は合計量）となるように、各実施例及び比較例のマゼンタインク組成物を調製した後、ａ＊値が８０となるようにこのインクを水で希釈した。ＰＶ３２及びＰＶ１９の１：１混合を含む水溶液は約１０００倍、ＰＶ３２及びＰＶ１９の２：１混合を含む水溶液は約１１６０倍、ＰＶ３２及びＰＶ１９の１：２混合を含む水溶液は約９１０倍、ＰＲ２０２を含む水溶液は約６６０倍、ＰＶ１９を含む水溶液は約５００倍、ＰＶ３２を含む水溶液は約１５００倍の希釈が必要とされた。【０２１２】  各水溶液のＬ＊値、ａ＊値、ｂ＊値の測定は、日立製作所社製のＵ３３００を用いて行った。具体的には、スキャンスピード６００ｎｍ／ｍｉｎ、測定波長範囲３８０〜８００ｎｍ、スリット幅２．０ｎｍの条件で透過率測定し、Ｄ６５光源、視野角２度において算出した。【０２１３】  結果を下記の表２２に示す。表２２中の左端の列に顔料の種類、混合比、濃度を示すが、上段から下段にかけて、実施例１、実施例３、実施例４、比較例１、比較例２、比較例３の各インク組成物にそれぞれ対応する。なお、インク組成物に含まれる着色成分は顔料のみであることから、実施例２のインク組成物を約５００倍に希釈すれば、（ＰＶ１９＋ＰＶ３２＝１：１）４％と同等のＬ＊値、ｂ＊を示すことは、当業者には明らかであろう。【０２１４】
0004872127.tif 000027
【０２１５】  実施例１〜４のインク組成物は、ａ＊値が８０のとき、ｂ＊値が−３８以上−２９以下であり、かつＬ＊値が６０以下であることが確認できる。【０２１６】  次に、各実施例及び比較例のマゼンタインク組成物についてそれぞれの顔料濃度が２重量％となるように水溶液を調製し、これを１００００倍に希釈して、それぞれ顔料濃度が２×−３１０ｇ／ｌの水溶液として、Ｌ＊、ａ＊およびｂ＊値を、上記方法に従って測定した。結果を表２３に示す。【０２１７】
0004872127.tif 000028
【０２１８】  実施例１〜４のインク組成物は、顔料濃度２×１０−３ｇ／ｌの水溶液で、ａ＊値が５以上であることが確認できた。【０２１９】  以上より、１００００倍以下の希釈水溶液において、可視吸収スペクトルから算出されるＣＩＥ規格のａ＊値が８０のときに、ｂ＊値が−３８以上−２９以下であるマゼンタインク組成物（好ましくは、同条件で算出されるＣＩＥ規格のＬ＊値が６０以下）、および顔料濃度が２×１０−３ｇ／ｌである希釈水溶液において、可視吸収スペクトルから算出されるＣＩＥ規格のａ＊値が好ましくは５以上であるマゼンタインク組成物は、高彩度かつ低明度な領域での色再現性に優れ、光沢に富み、インクジェット式記録ヘッドでの目詰まりをおこしにくいことが確認された。【０２２０】〔実施例Ｃ〕
（インクセットの調製）
実施例及び比較例の各インクセットに備えられる下記組成のマゼンタインク（Ｍ１）、（Ｍ２）、（ｍ１）、イエローインク（Ｙ１）および、シアンインク（Ｃ１）を、それぞれ常法に従い調製した。即ち、着色剤成分を分散剤成分と共に分散させた後、他の成分を加えて混合し、一定以上の大きさの不溶成分を濾過して、インクを調製した。得られた各インクを組み合わせて、各実施例及び比較例のインクセットとした。【０２２１】  マゼンタインク（Ｍ１）および（Ｍ２）は、色材としてＣ．Ｉ．ピグメントヴァイオレット３２を含み、（ｍ１）はＣ．Ｉ．ピグメントヴァイオレット３２を含まず、Ｃ．Ｉ．ピグメントレッド２０２を含む。【０２２２】＜マゼンタインク（Ｍ１）＞
Ｃ．Ｉ．ピグメントヴァイオレット３２          ４．０重量％
分散剤（スチレン−アクリル酸共重合体）                ２．０重量％
グリセリン                                １４．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２２３】＜マゼンタインク（Ｍ２）＞
Ｃ．Ｉ．ピグメントヴァイオレット３２          ２．０重量％
分散剤（スチレン−アクリル酸共重合体）                １．０重量％
グリセリン                                ２０．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２２４】＜マゼンタインク（ｍ１）＞
Ｃ．Ｉ．ピグメントレッド２０２              ５．５重量％
分散剤（スチレン−アクリル酸共重合体）              ２．８重量％
グリセリン                                １０．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２２５】＜イエローインク（Ｙ１）＞
Ｃ．Ｉ．ピグメントイエロー７４              ５．５重量％
分散剤（スチレン−アクリル酸共重合体）              ２．８重量％
グリセリン                                １２．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２２６】＜シアンインク（Ｃ１）＞
Ｃ．Ｉ．ピグメントブルー１５：３            ４．０重量％
分散剤（スチレン−アクリル酸共重合体）              ２．０重量％
グリセリン                                １４．０重量％
１，２−ヘキサンジオール                          ７．０重量％
トリエタノールアミン                            ０．９重量％
ＢＹＫ３４８                                  ０．１重量％
超純水                                                残分
計  １００．０重量％
各インクについて、逆流式粘度を測定した結果を表２４に示す。【０２２７】
0004872127.tif 000029
【０２２８】  上記のインクを下記表２５のように組み合わせて、実施例としてのインクセット１および２と、比較例としてのインクセット３とした。【０２２９】
0004872127.tif 000030
【０２３０】  （色再現性の評価）
次に、上記インクセット１〜３について、インクジェットプリンタＰＸ−Ｇ９００（セイコーエプソン社製）で写真用紙＜光沢＞に写真用紙＜光沢＞の高精彩モードで出力し、得られた印刷物を、グレタグ社製マクベス・ＳｐｅｃｔｒｏＳｃａｎを使用してＤ５０光源、視野角２度で測色した。Ｍ１、Ｍ２、ｍ１、Ｙ１、Ｃ１の各インクの吐出パターンを、それぞれ表２６〜３０に示す。例えば、インクセット１の場合は、表２６、表２９および表３０のパターンに従ってインクを吐出したことになる。【０２３１】
0004872127.tif 000031
0004872127.tif 000032
【０２３２】
0004872127.tif 000033
0004872127.tif 000034
【０２３３】
0004872127.tif 000035
0004872127.tif 000036
【０２３４】
0004872127.tif 000037
0004872127.tif 000038
【０２３５】
0004872127.tif 000039
0004872127.tif 000040
【０２３６】  得られた測定結果から、ＣＩＥで規定するＬ＊値、ａ＊値およびｂ＊値を得た。この値を用いて、下記式１からＣ＊を、式２からｈ求め、グラフにプロットした。
式１：Ｃ＊＝（ａ＊２＋ｂ＊２）１／２
式２：ｈ＝ｔａｎ−１（ｂ＊／ａ＊）【０２３７】  結果を図９〜１２に示す。いずれの図においても、実施例、比較例ともほぼ同様の色相を示した。このことから、実施例は、マゼンタインクの顔料濃度がそれぞれ４．０重量％、２．０重量％と、比較例（５．５重量％）よりもかなり低濃度であるにもかかわらず、高彩度かつ低明度な領域でも優れた色再現性を示すことがわかった。【０２３８】  （光沢性の評価）
次に、上述の方法で得られたそれぞれの記録物の光沢度について、村上色材研究社製「ＧＰ−２００」を用い、１２Ｖ５０Ｗ、入射光束絞り直径１ｍｍ、反射光絞り直径１．５ｍｍ、ＮＤ１０フィルター、入射角度４５度、煽り角度０度、標準鏡面板を４２．５として、その最高値を測定した。インクセット１〜３についての結果を表３１〜３３に示す。【０２３９】
0004872127.tif 000041
【０２４０】
0004872127.tif 000042
【０２４１】
0004872127.tif 000043
【０２４２】  以上から、ＰＶ３２を含むマゼンタインクを備えるインクセット１および２は、平均最高光沢度が２０以上と高く、ＰＶ３２を含まないインクセット３は、平均最高光沢度が１３と低いことが確認された。【０２４３】〔実施例Ｄ〕
（インクセットの調製）
実施例及び比較例の各インクセットに備えられる下記組成のマゼンタインク（Ｍ１）、（ｍ１）、イエローインク（Ｙ１）および、シアンインク（Ｃ１）を、それぞれ常法に従い調製した。即ち、着色剤成分を分散剤成分と共に分散させた後、他の成分を加えて混合し、一定以上の大きさの不溶成分を濾過して、インクを調製した。得られた各インクを組み合わせて、各実施例及び比較例のインクセットとした。【０２４４】  マゼンタインク（Ｍ１）は、色材としてＣ．Ｉ．ピグメントヴァイオレット３２とＣ．Ｉ．ピグメントヴァイオレット１９を含み、（ｍ１）はＣ．Ｉ．ピグメントヴァイオレット３２を含まず、Ｃ．Ｉ．ピグメントレッド２０２を含む。【０２４５】＜マゼンタインク（Ｍ１）＞
Ｃ．Ｉ．ピグメントヴァイオレット３２          １．０重量％
Ｃ．Ｉ．ピグメントヴァイオレット１９          １．０重量％
分散剤（スチレン−アクリル酸共重合体）                ２．０重量％
グリセリン                                  ２０．０重量％
１，２−ヘキサンジオール                            ７．０重量％
トリエタノールアミン                              ０．９重量％
ＢＹＫ３４８                                    ０．１重量％
超純水                                                  残分
計  １００．０重量％【０２４６】＜マゼンタインク（ｍ１）＞
Ｃ．Ｉ．ピグメントレッド２０２              ６．０重量％
分散剤（スチレン−アクリル酸共重合体）              ２．８重量％
グリセリン                                １０．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２４７】＜イエローインク（Ｙ１）＞
Ｃ．Ｉ．ピグメントイエロー７４              ３．０重量％
分散剤（スチレン−アクリル酸共重合体）              １．５重量％
グリセリン                                ２０．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２４８】＜シアンインク（Ｃ１）＞
Ｃ．Ｉ．ピグメントブルー１５：３            １．５重量％
分散剤（スチレン−アクリル酸共重合体）              ０．８重量％
グリセリン                                ２０．０重量％
１，２−ヘキサンジオール                          ７．０重量％
トリエタノールアミン                            ０．９重量％
ＢＹＫ３４８                                  ０．１重量％
超純水                                                残分
計  １００．０重量％【０２４９】  各インクについて、逆流式粘度を測定した結果を表３４に示す。【０２５０】
0004872127.tif 000044
【０２５１】  この結果から、マゼンタインクＭ１は、グリセリン濃度がそれぞれ２０．０重量％と高いにもかかわらず、グリセリンを１０．０重量％しか添加していないｍ１と、同等の粘度を示すことがわかった。これは、Ｍ１では、顔料が比較的低濃度であることによるものと考えられる。【０２５２】  マゼンタインクＭ１は、表２２、表２３に示す通り、１００００倍以下の希釈水溶液において、可視吸収スペクトルから算出されるＣＩＥ規格のａ＊値が８０のときに、ｂ＊値が−３８以上−２９以下であり、また顔料濃度が２×１０−３ｇ／ｌである希釈水溶液において、可視吸収スペクトルから算出されるＣＩＥ規格のａ＊が好ましくは５以上であるという条件を満足する。【０２５３】  上記のインクを下記表３５のように組み合わせて、実施例としてのインクセット１と、比較例としてのインクセット２とした。【０２５４】
0004872127.tif 000045
【０２５５】  （色彩の評価）
次に、上記インクセット１及び２について、インクジェットプリンタＰＸ−Ｇ９００（セイコーエプソン社製）で写真用紙＜光沢＞に写真用紙＜光沢＞の高精彩モードで出力し、得られた印刷物を、グレタグ社製マクベス・ＳｐｅｃｔｒｏＳｃａｎで前記の実施例と同様に測色した。Ｍ１、ｍ１、Ｙ１、Ｃ１の各インクの吐出パターンを求めた。
得られた測定結果（表示せず）から、ＣＩＥで規定するＬ＊値、ａ＊値およびｂ＊値を得た。この値を用いて、下記式からＣ＊を求め、横軸にＣ＊、縦軸にＬ＊をとったグラフにプロットした。
式：Ｃ＊＝（ａ＊２＋ｂ＊２）１／２【０２５６】  結果を図１３、１４に示す。いずれの図においても、実施例、比較例ともほぼ同様の色相を示した。このことから、実施例は、マゼンタインクの顔料濃度が２．０重量％と、比較例（６．０重量％）よりもかなり低濃度であるにもかかわらず、高彩度かつ低明度な領域でも優れた色再現性を示すことがわかった。【０２５７】  （光沢性の評価）
次に、上述の方法で得られたそれぞれの記録物の光沢度について、村上色材研究社製「ＧＰ−２００」を用い、１２Ｖ５０Ｗ、入射光束絞り直径１ｍｍ、反射光絞り直径１．５ｍｍ、ＮＤ１０フィルター、入射角度４５度、煽り角度０度、標準鏡面板を４２．５として、その最高値を測定した。インクセット１及び２についての結果を表３６及び３７に示す。【０２５８】
0004872127.tif 000046
【０２５９】
0004872127.tif 000047
【０２６０】  以上から、ＰＶ３２及びＰＶ１９を含むマゼンタインクを備えるインクセット１は、平均最高光沢度が３５以上と高く、ＰＶ３２を含まないインクセット２（ＰＲ２０２を含む）は、平均最高光沢度が２１と低いことが確認された。
【産業上の利用可能性】
【０２６１】  本発明は、高彩度かつ低明度な領域の色再現性に優れ、インクジェット式記録ヘッドでの目詰まりを起こしにくく、光沢も向上されたマゼンタインク、及び、高彩度かつ低明度な領域の色再現性に優れ、インクジェット式記録ヘッドでの目詰まりをおこしにくく、光沢も向上されたマゼンタインク備える、インクジェット記録用インクセット、及び、高彩度かつ低明度な領域の色再現性に優れ、且つ粒状性にも優れ、インクジェット式記録ヘッドでの目詰まりを起こしにくく、光沢も向上されたマゼンタインク、及び、高彩度かつ低明度な領域の色再現性に優れ、且つ粒状性にも優れ、インクジェット式記録ヘッドでの目詰まりを起こしにくく、光沢も向上されたマゼンタインクを備えるインクジェット記録用インクセット、並びに、これらのマゼンタインクまたはインクセットを用いたインクカートリッジ、記録方法、記録システム及び記録物として、産業上の利用可能性を有する。
【図１】
0004872127.tif 000048
【図２】
0004872127.tif 000049
【図３】
0004872127.tif 000050
【図４】
0004872127.tif 000051
【図５】
0004872127.tif 000052
【図６】
0004872127.tif 000053
【図７】
0004872127.tif 000054
【図８】
0004872127.tif 000055
【図９】
0004872127.tif 000056
【図１０】
0004872127.tif 000057
【図１１】
0004872127.tif 000058
【図１２】
0004872127.tif 000059
【図１３】
0004872127.tif 000060
【図１４】
0004872127.tif 000061